(57)【要約】【課題】調光信号の周波数などが異なる場合でも、調光信号のデューティ比を正しく測定する。【解決手段】信号伝達回路１５２は、パルス幅変調された調光信号を入力し、入力した調光信号を伝達する。周期測定部１６２は、信号伝達回路１５２が伝達した調光信号の周期を測定する。オン時間測定部１６１は、信号伝達回路１５２が伝達した調光信号のオン時間を測定する。補正値算出部１６４は、信号伝達回路１５２の伝達特性に対する補正値を算出する。デューティ比算出部１６５は、周期測定部１６２が測定した周期と、オン時間測定部１６１が測定したオン時間と、補正値算出部１６４が算出した補正値とに基づいて、デューティ比を算出する。【選択図】図３
2010226658.tif 000002
【特許請求の範囲】
【請求項１】
パルス幅変調された信号を入力し、入力した信号を伝達する信号伝達回路と、
上記信号伝達回路が伝達した信号の周期を測定する周期測定部と、
上記信号伝達回路が伝達した信号のオン時間を測定するオン時間測定部と、
上記信号伝達回路の伝達特性に対する補正値を算出する補正値算出部と、
上記周期測定部が測定した周期と、上記オン時間測定部が測定したオン時間と、上記補正値算出部が算出した補正値とに基づいて、上記信号伝達回路が入力した信号のデューティ比を算出するデューティ比算出部とを有することを特徴とするデューティ比測定回路。
【請求項２】
上記デューティ比算出部は、上記オン時間測定部が測定したオン時間と上記補正値算出部が算出した補正値との和を、上記周期測定部が測定した周期で割った商を算出して、デューティ比とすることを特徴とする請求項１に記載のデューティ比測定回路。
【請求項３】
上記補正値算出部は、上記周期測定部が測定した周期に基づいて、上記補正値を算出することを特徴とする請求項１または請求項２に記載のデューティ比測定回路。
【請求項４】
上記デューティ比測定回路は、上記信号伝達回路の温度を測定する温度測定回路を有し、
上記補正値算出部は、上記温度測定回路が測定した温度に基づいて、上記補正値を算出することを特徴とする請求項１乃至請求項３のいずれかに記載のデューティ比測定回路。
【請求項５】
上記デューティ比測定回路は、任意に設定可能な調整信号を生成する調整信号生成回路を有し、
上記補正値算出部は、上記調整信号生成回路が生成した調整信号に基づいて、上記補正値を算出することを特徴とする請求項１乃至請求項４のいずれかに記載のデューティ比測定回路。
【請求項６】
パルス幅変調した調光信号のデューティ比を測定する請求項１乃至請求項５のいずれかに記載のデューティ比測定回路と、
上記デューティ比測定回路が測定したデューティ比に対応する明るさで光源を点灯する点灯回路とを有することを特徴とする点灯装置。
【請求項７】
請求項６に記載の点灯装置と、上記光源を接続する光源接続部とを有することを特徴とする照明器具。
【発明の詳細な説明】
【技術分野】
【０００１】
この発明は、調光信号などパルス幅変調された信号のデューティ比を測定するデューティ比測定回路に関する。
【背景技術】
【０００２】
照明器具の光源を調光するための調光信号として、一般に、パルス幅変調（ＰＷＭ）された信号が用いられる。あらかじめ、調光信号のデューティ比と光源の調光度との関係が定められていて、調光装置は、出力する調光信号のデューティ比により、照明器具の点灯装置に対して調光度を指示する。他方、調光信号の周波数は特に定められていないので、調光装置は、例えば１００Ｈｚ〜１ｋＨｚの範囲内で、調光装置ごとに異なる周波数の調光信号を出力する場合がある。
【先行技術文献】
【特許文献】
【０００３】
【特許文献１】特開平７−６８９２号公報
【特許文献２】特開２００３−３４７０９７号公報
【発明の概要】
【発明が解決しようとする課題】
【０００４】
調光信号の伝達経路にフォトカプラなどを挿入して、調光装置と照明器具の内部の回路とを電気的に絶縁する場合、調光信号の周波数が異なると、フォトカプラなどの伝達特性が異なるため、調光信号のデューティ比が同じ場合でも、点灯装置は、デューティ比が異なると判断して、光源を異なる明るさで点灯する場合がある。
この発明は、例えば上記のような課題を解決するためになされたものであり、調光信号の周波数が異なるなどの要因がある場合であっても、調光信号のデューティ比を正しく測定することを目的とする。
【課題を解決するための手段】
【０００５】
この発明にかかるデューティ比測定回路は、パルス幅変調された信号を入力し、入力した信号を伝達する信号伝達回路と、上記信号伝達回路が伝達した信号の周期を測定する周期測定部と、上記信号伝達回路が伝達した信号のオン時間を測定するオン時間測定部と、上記信号伝達回路の伝達特性に対する補正値を算出する補正値算出部と、上記周期測定部が測定した周期と、上記オン時間測定部が測定したオン時間と、上記補正値算出部が算出した補正値とに基づいて、上記信号伝達回路が入力した信号のデューティ比を算出するデューティ比算出部とを有することを特徴とする。
【発明の効果】
【０００６】
この発明にかかるデューティ比測定回路によれば、補正値算出部１６４が算出した補正値に基づいて、デューティ比算出部が調光信号のデューティ比を算出するので、調光装置が出力した調光信号の周波数にかかわらず、調光信号のデューティ比を正しく測定することができる。
【図面の簡単な説明】
【０００７】
【図１】実施の形態１における照明器具８００の外観を示す斜視図。
【図２】実施の形態１における放電灯点灯装置１００の回路構成を示す回路図。
【図３】実施の形態１におけるデューティ比測定回路１５０の回路構成を示す回路図。
【図４】実施の形態１における調光信号の周期と補正値との関係及び補正値テーブル４１０を示す図。
【図５】実施の形態１における信号伝達回路１５２の各部の電圧を示す波形図。
【図６】実施の形態２におけるデューティ比測定回路１５０の回路構成を示す回路図。
【図７】実施の形態２における調光信号の周期及び信号伝達回路１５２の温度と補正値との関係及び補正値テーブル４１０を示す図。
【図８】実施の形態３におけるデューティ比測定回路１５０の回路構成を示す回路図。
【発明を実施するための形態】
【０００８】
実施の形態１．
実施の形態１について、図１〜図５を用いて説明する。
【０００９】
図１は、この実施の形態における照明器具８００の外観を示す斜視図である。
照明器具８００は、放電灯ＬＡを接続するソケット８１０（光源接続部）を有する。照明器具８００は、ソケット８１０に接続した放電灯ＬＡに電力を供給して、放電灯ＬＡを点灯する。
【００１０】
図２は、この実施の形態における放電灯点灯装置１００の回路構成を示す回路図である。
照明器具８００は、放電灯点灯装置１００を有する。放電灯点灯装置１００は、商用電源などの交流電源ＡＣ（例えば１００Ｖ〜２５４Ｖ、５０Ｈｚ〜６０Ｈｚ）から電力の供給を受けて、放電灯ＬＡに電力を供給する。放電灯点灯装置１００は、調光装置２００（調光器、調光コントローラ）が出力した調光信号を入力し、入力した調光信号によって指示された明るさで、放電灯ＬＡを点灯する。
放電灯点灯装置１００は、ノイズフィルタ回路１１０、ダイオードブリッジＤＢ１、昇圧チョッパ回路１２０、チョッパ制御回路１２７、インバータ回路１３０、インバータ制御回路１３７、負荷回路１４０、デューティ比測定回路１５０を有する。
【００１１】
ノイズフィルタ回路１１０は、交流電源ＡＣに接続した他の装置で発生した高周波ノイズが放電灯点灯装置１００に侵入するのを防ぐとともに、放電灯点灯装置１００の内部で発生した高周波ノイズが放電灯点灯装置１００の外部に漏れるのを防ぐ。ノイズフィルタ回路１１０は、例えば、アクロスザラインコンデンサＣ１１、コモンモードチョークＬ１２を有する。
ダイオードブリッジＤＢ１（整流器）は、ノイズフィルタ回路１１０を介して、交流電源ＡＣから交流電圧を入力し、入力した交流電圧を整流して、脈流電圧を生成する。ダイオードブリッジＤＢ１は、例えば、四つの整流素子を有する。
【００１２】
昇圧チョッパ回路１２０（力率改善回路）は、ダイオードブリッジＤＢ１が生成した脈流電圧を入力し、入力した脈流電圧を昇圧して、高電圧（例えば４００Ｖ）の直流電圧を生成する。昇圧チョッパ回路１２０は、例えば、チョークコイルＬ２１、スイッチング素子Ｑ２２、整流素子Ｄ２３、平滑コンデンサＣ２４、二つの分圧抵抗Ｒ２５，Ｒ２６を有する。
チョッパ制御回路１２７は、スイッチング素子Ｑ２２を高周波（例えば５０ｋＨｚ）で開閉することにより、昇圧チョッパ回路１２０を昇圧動作させる。チョッパ制御回路１２７は、平滑コンデンサＣ２４の両端電圧を二つの分圧抵抗Ｒ２５，Ｒ２６が分圧した電圧を入力し、入力した電圧が所定の電圧になるよう、スイッチング素子Ｑ２２の開閉を制御する。これにより、交流電源ＡＣの電圧にかかわらず、平滑コンデンサＣ２４に一定の電圧が充電される。
【００１３】
インバータ回路１３０は、昇圧チョッパ回路１２０が生成した直流電圧を入力し、入力した直流電圧から高周波（例えば５０〜１００ｋＨｚ）の矩形波電圧を生成する。インバータ回路１３０は、例えばハーフブリッジ構成であり、二つのスイッチング素子Ｑ３１，Ｑ３２を有する。
インバータ制御回路１３７は、二つのスイッチング素子Ｑ３１，Ｑ３２を高周波で交互に開閉することにより、インバータ回路１３０を動作させる。インバータ制御回路１３７は、放電灯ＬＡの点灯状態（予熱、始動、点灯など）や、放電灯ＬＡを点灯する明るさなどに基づいて、インバータ回路１３０が生成する矩形波電圧の周波数を決定し、決定した周波数で二つのスイッチング素子Ｑ３１，Ｑ３２を交互に開閉する。
【００１４】
負荷回路１４０は、インバータ回路１３０が生成した矩形波電圧を入力して、放電灯ＬＡに印加し、放電灯ＬＡを点灯する。負荷回路１４０は、例えば、チョークコイルＬ４１、結合コンデンサＣ４２、始動コンデンサＣ４３を有する。チョークコイルＬ４１及び結合コンデンサＣ４２は、放電灯ＬＡと直列に電気接続する。チョークコイルＬ４１は、放電灯ＬＡを流れる電流を制限する。結合コンデンサＣ４２は、インバータ回路１３０が生成した矩形波電圧の直流成分を除去する。始動コンデンサＣ４３は、放電灯ＬＡと並列に電気接続する。始動コンデンサＣ４３は、放電灯ＬＡ始動時に、チョークコイルＬ４１との共振により放電灯ＬＡの両端に高電圧を発生させ、放電灯ＬＡの放電を開始させる。
【００１５】
デューティ比測定回路１５０（調光信号入力回路）は、調光装置２００が出力した調光信号を入力し、入力した調光信号のデューティ比（オンデューティ）を測定する。オンデューティとは、信号の周期に対して信号が有意（例えば高電位）である時間の割合のことである。調光装置２００が出力する調光信号は、矩形波電圧であり、パルス幅変調により、放電灯ＬＡを点灯する明るさを指示する信号である。調光装置２００が調光信号により指示する調光度は、例えば、デューティ比５％以下のとき１００％、デューティ比５％超７２．５％未満のときデューティ比が大きくなるほど低くなり、デューティ比７２．５％以上９０％以下のとき２５％、デューティ比１００％のとき０％（消灯）である。したがって、デューティ比測定回路１５０が測定したデューティ比は、調光装置２００が指示する調光度を表わす。インバータ制御回路１３７は、デューティ比測定回路１５０が測定したデューティ比に基づいて、放電灯ＬＡを点灯する明るさを判定し、判定した明るさに基づいて、インバータ回路１３０が生成する矩形波電圧の周波数を決定する。
【００１６】
図３は、この実施の形態におけるデューティ比測定回路１５０の回路構成を示す回路図である。
デューティ比測定回路１５０は、直流定電圧源回路１５１、信号伝達回路１５２、マイコン１６０を有する。
【００１７】
直流定電圧源回路１５１は、所定の電圧（例えば３Ｖ〜１２Ｖ）の直流電圧を生成し、信号伝達回路１５２やマイコン１６０を動作させるための電源として、生成した直流電圧を信号伝達回路１５２やマイコン１６０に供給する。
【００１８】
信号伝達回路１５２は、調光装置２００と、マイコン１６０とを電気的に分離しつつ、調光装置２００が出力した調光信号を、マイコン１６０に伝達する。これは、一般に、調光装置２００の基準電位と、直流定電圧源回路１５１が生成する直流電圧の基準電位とが異なるからである。信号伝達回路１５２は、例えば、三つの抵抗Ｒ５１，Ｒ５２，Ｒ５３、ダイオードブリッジＤＢ２、フォトカプラＰＣ、バイポーラトランジスタＱ５４、コンデンサＣ５５を有する。
ダイオードブリッジＤＢ２は、調光信号の極性が逆の場合でも、フォトカプラＰＣのＬＥＤが点灯するよう、調光装置２００が生成した調光信号を全波整流する。抵抗Ｒ５１は、ダイオードブリッジＤＢ２を介して、フォトカプラＰＣのＬＥＤと直列に電気接続し、フォトカプラＰＣのＬＥＤを流れる電流を制限する。
抵抗Ｒ５２は、フォトカプラＰＣのフォトトランジスタＰＴと直列に電気接続し、直流定電圧源回路１５１に電気接続している。バイポーラトランジスタＱ５４は、ベース端子がフォトトランジスタＰＴのコレクタ端子と抵抗Ｒ５２との接続点に電気接続し、コレクタ端子が抵抗Ｒ５３の一端に電気接続し、抵抗Ｒ５３の他端とエミッタ端子とが直流定電圧源回路１５１に電気接続している。コンデンサＣ５５は、バイポーラトランジスタＱ５４のコレクタ端子とエミッタ端子との間に電気接続している。
【００１９】
調光信号の電圧が０である場合、フォトカプラＰＣのＬＥＤが消灯し、フォトトランジスタＰＴがオフになって、フォトトランジスタＰＴのコレクタ端子が高電位になる。これにより、バイポーラトランジスタＱ５４がオンになり、バイポーラトランジスタＱ５４のコレクタ端子が低電位になる。
調光信号の電圧が０でない場合、フォトカプラＰＣのＬＥＤが点灯し、フォトトランジスタＰＴがオンになって、フォトトランジスタＰＴのコレクタ端子が低電位になる。これにより、バイポーラトランジスタＱ５４がオフになり、バイポーラトランジスタＱ５４のコレクタ端子が高電位になる。
【００２０】
マイコン１６０（処理装置）は、内蔵するＲＯＭなどの記憶装置が記憶したプログラムを実行することにより、以下に説明するオン時間測定部１６１、周期測定部１６２、補正値記憶部１６３、補正値算出部１６４、デューティ比算出部１６５などの機能ブロックを実現する。なお、これらの機能ブロックは、マイコン１６０を用いて実現するのではなく、アナログ回路、デジタル回路、専用ＩＣなどを用いて実現する構成としてもよい。
【００２１】
オン時間測定部１６１は、コンデンサＣ５５の両端電圧が高い期間の長さ（以下「オン時間」と呼ぶ。）を測定する。オン時間測定部１６１は、例えば、コンデンサＣ５５の両端電圧の立ち上がりを検出して、マイコン１６０の動作クロック（例えば１ＭＨｚ）の計数を開始し、コンデンサＣ５５の両端電圧の立ち下がりを検出して、動作クロックの計数を終了し、オン時間を表わす値として、計数した値（以下「オン時間測定値」と呼ぶ。）を出力する。
【００２２】
周期測定部１６２は、コンデンサＣ５５の両端電圧の立ち上がりから次の立ち上がりまでの時間（すなわち調光信号の周期）を測定する。周期測定部１６２は、例えば、コンデンサＣ５５の両端電圧の立ち上がりを検出して、マイコン１６０の動作クロックの計数を開始し、コンデンサＣ５５の両端電圧の次の立ち上がりを検出して、動作クロックの計数を終了し、調光信号の周期を表わす値として、計数した値（以下「周期測定値」と呼ぶ。）を出力する。
【００２３】
補正値記憶部１６３は、例えばマイコン１６０が内蔵するＲＯＭなどの記憶装置を用いて、あらかじめ、補正値テーブルを記憶している。補正値テーブルとは、周期測定部１６２が測定した周期と、その周期における補正値との対応を表わすテーブルである。補正値とは、調光装置２００が出力した調光信号のオン時間と、オン時間測定部１６１が測定したオン時間との差を表わす値である。
【００２４】
補正値算出部１６４は、周期測定部１６２が出力した周期測定値を入力し、補正値記憶部１６３が記憶した補正値テーブルを参照して、入力した周期測定値が表わす周期に対応する補正値を算出する。補正値算出部１６４は、算出した補正値を出力する。
【００２５】
デューティ比算出部１６５は、オン時間測定部１６１が出力したオン時間測定値と、周期測定部１６２が出力した周期測定値と、補正値算出部１６４が出力した補正値とを入力する。デューティ比算出部１６５は、入力したオン時間測定値と、周期測定値と、補正値とに基づいて、調光信号のデューティ比を算出する。デューティ比算出部１６５は、算出したデューティ比を出力する。
デューティ比算出部１６５は、例えば次の計算式により、調光信号のデューティ比を算出する。
【数１１】
2010226658.tif 000003
ただし、Ｄはデューティ比算出部１６５が算出するデューティ比、ｔはオン時間測定部１６１が出力したオン時間測定値、Ｔは周期測定部１６２は出力した周期測定値、Ａは補正値算出部１６４が算出した補正値である。
【００２６】
図４は、この実施の形態における調光信号の周波数と補正値との関係及び補正値テーブル４１０を示す図である。
曲線３１１は、調光信号の周波数と、補正値との関係を表わす。調光信号の周期は、調光装置２００により異なる一定の値であり、例えば１ミリ秒〜１０ミリ秒である。調光装置２００が出力する調光信号のオン時間と、オン時間測定部１６１が測定するオン時間との間のずれは、信号伝達回路１５２の伝達特性によって生じるものであり、調光信号の周波数によって異なる。このため、デューティ比算出部１６５は、調光信号の周波数により異なる補正値を用いて、調光信号のデューティ比を算出する。
【００２７】
補正値テーブル４１０は、例えば、周波数４１１と補正値４１４との組（行、レコード）を複数有する。一組の周波数４１１及び補正値４１４は、周期測定部１６２が測定した周期測定値の逆数（以下「周波数測定値」と呼ぶ。）が周波数４１１に等しいときの補正値が補正値４１４であることを表わす。
補正値算出部１６４は、例えば、入力した周期測定値の逆数を計算して、周波数測定値を算出する。補正値算出部１６４は、補正値記憶部１６３が記憶した補正値テーブル４１０を検索して、算出した周波数測定値が周波数４１１以上である行のうち、周波数４１１が最大の行を見つける。補正値算出部１６４は、発見した行の補正値４１４を取得して、補正値とする。
あるいは、補正値算出部１６４は、発見した行の周波数４１１が、入力した周波数と等しくない場合、更に、補正値記憶部１６３が記憶した補正値テーブル４１０を検索して、算出した周波数測定値が周波数４１１以下である行のうち、周波数４１１が最小の行を見つけ、線形補間により、補正値を算出する構成としてもよい。
【００２８】
図５は、この実施の形態における信号伝達回路１５２の各部の電圧を示す波形図である。
ｖ１は調光装置２００が出力した調光信号の電圧、ｖ２はフォトトランジスタＰＴのコレクタ−エミッタ間電圧、ｖ３はコンデンサＣ５５の両端電圧を表わす。
ｖ１，ｖ２，ｖ３の周期Ｔは等しい。
フォトカプラＰＣの伝達特性により、ｖ１の立ち上がり時と立ち下がり時との間で、ｖ２の波形の鈍り方が異なるので、ｖ２のオフ時間ｔ２は、ｖ１のオン時間ｔ１と異なる。
また、バイポーラトランジスタＱ５４の伝達特性により、ｖ２の立ち上がり時と立ち下がり時との間で、ｖ３の波形の鈍り方が異なるので、ｖ３のオン時間ｔ３は、ｖ２のオフ時間ｔ２と異なる。
フォトカプラＰＣにおける波形の鈍り方の差と、バイポーラトランジスタＱ５４における波形の鈍り方の差とが打ち消しあうので、ｖ３のオン時間ｔ３は、ｖ２のオフ時間ｔ２よりも、ｖ１のオン時間ｔ１に近くなるが、ｔ１とｔ３とは完全には一致しない。
【００２９】
そこで、この差を周期Ｔの関数として、補正値算出部１６４が補正値を算出し、補正値算出部１６４が算出した補正値を用いて、デューティ比算出部１６５が調光信号のデューティ比を算出することにより、デューティ比測定回路１５０は、調光装置２００が出力した調光信号の周波数にかかわらず、調光信号のデューティ比を正しく測定することができる。これにより、放電灯点灯装置１００は、調光装置２００が出力する調光信号の周波数にかかわらず、指示された調光度で、放電灯ＬＡを点灯することができる。
したがって、調光装置２００が出力する調光信号の周波数を限定することなく、調光装置２００を選定することができる。また、調光装置２００が出力する調光信号の周波数に対応して、複数種類の放電灯点灯装置１００を用意する必要がないので、放電灯点灯装置１００の在庫管理が容易になる。
【００３０】
なお、ここでは、放電灯ＬＡを点灯する照明器具８００を例として説明したが、照明器具８００の光源は、放電灯ＬＡに限らず、例えばＬＥＤなど他の光源であってもよい。
また、補正値記憶部１６３が記憶する補正値テーブルの形式は、上記説明した形式に限らず、他の形式であってもよい。
【００３１】
実施の形態２．
実施の形態２について、図６〜図７を用いて説明する。
なお、実施の形態１と共通する部分については、同一の符号を付し、説明を省略する。
【００３２】
図６は、この実施の形態におけるデューティ比測定回路１５０の回路構成を示す回路図である。
デューティ比測定回路１５０は、実施の形態１で説明した構成に加えて、更に、温度測定回路１５３を有する。
温度測定回路１５３は、デューティ比測定回路１５０、特に信号伝達回路１５２の温度を測定する。温度測定回路１５３は、例えば、分圧抵抗Ｒ７１、サーミスタＴＲ７２を有する。分圧抵抗Ｒ７１とサーミスタＴＲ７２とは、直列に電気接続し、直流定電圧源回路１５１に電気接続している。サーミスタＴＲ７２の温度によりサーミスタＴＲ７２の抵抗値が変化して、分圧抵抗Ｒ７１とサーミスタＴＲ７２との分圧比が変化するので、サーミスタＴＲ７２の両端電圧が変化する。温度測定回路１５３は、サーミスタＴＲ７２の両端電圧を、温度測定値として出力する。
【００３３】
補正値算出部１６４は、周期測定部１６２が出力した周期測定値に加えて、温度測定回路１５３が出力した温度測定値を入力する。補正値算出部１６４は、入力した周期測定値と温度測定値とに基づいて、補正値記憶部１６３が記憶した補正値テーブルを検索して、入力した周期測定値から算出した周波数測定値と温度測定値が表わす温度との組に対応する補正値を算出する。
【００３４】
図７は、この実施の形態における調光信号の周波数及び信号伝達回路１５２の温度と補正値との関係及び補正値テーブル４１０を示す図である。
曲線３１２〜３１４は、それぞれ異なる温度における調光信号の周波数と、補正値との関係を表わす。信号伝達回路１５２の温度の違いにより、フォトカプラＰＣの伝達特性や他の素子の電気的特性が変化するため、補正値も変化する。
補正値テーブル４１０は、周波数４１１と温度測定値４１２と補正値４１４との組（行、レコード）を複数有する。一組の周波数４１１及び温度測定値４１２及び補正値４１４は、周期測定部１６２が出力した周期測定値の逆数（周波数測定値）が周波数４１１と等しく、かつ、温度測定回路１５３が出力した温度測定値が温度測定値４１２と等しいときの補正値が補正値４１４であることを表わす。
補正値算出部１６４は、例えば、入力した周期測定値の逆数を計算して、周波数測定値を算出する。補正値算出部１６４は、補正値記憶部１６３が記憶した補正値テーブル４１０を検索して、算出した周波数測定値が周波数４１１以上である行のうち、周波数４１１が最も大きい行をすべて見つける。補正値算出部１６４は、発見した１以上の行のなかから、入力した温度測定値が温度測定値４１２以上である行のうち、温度測定値４１２が最も大きい行を見つける。補正値算出部１６４は、発見した行の補正値４１４を取得して、補正値とする。
【００３５】
このように、信号伝達回路１５２の温度を温度測定回路１５３が測定し、温度測定回路１５３が測定した温度に基づいて補正値算出部１６４が補正値を算出し、算出した補正値を用いてデューティ比算出部１６５がデューティ比を算出することにより、温度により信号伝達回路１５２の伝達特性が変化する場合であっても、デューティ比測定回路１５０は、信号伝達回路１５２の温度にかかわらず、調光装置２００が出力した調光信号のデューティ比を正しく測定することができる。これにより、放電灯点灯装置１００は、信号伝達回路１５２の温度にかかわらず、指示された調光度で、放電灯ＬＡを点灯することができる。
【００３６】
実施の形態３．
実施の形態３について、図８を用いて説明する。
なお、実施の形態１及び実施の形態２と共通する部分については、同一の符号を付し、説明を省略する。
【００３７】
図８は、この実施の形態におけるデューティ比測定回路１５０の回路構成を示す回路図である。
デューティ比測定回路１５０は、実施の形態２で説明した構成に加えて、更に、調整信号生成回路１５４を有する。
調整信号生成回路１５４は、任意に設定可能な調整信号を生成する。調整信号生成回路１５４は、例えば、分圧抵抗Ｒ８１、可変抵抗ＶＲ８２を有する。分圧抵抗Ｒ８１と可変抵抗ＶＲ８２とは、直列に電気接続し、直流定電圧源回路１５１に電気接続している。可変抵抗ＶＲ８２の抵抗値を変化させることにより、分圧抵抗Ｒ８１と可変抵抗ＶＲ８２との分圧比が変化するので、可変抵抗ＶＲ８２の両端電圧が変化する。調整信号生成回路１５４は、可変抵抗ＶＲ８２の両端電圧を、調整信号値として出力する。
【００３８】
補正値算出部１６４は、周期測定部１６２が出力した周期測定値と、温度測定回路１５３が出力した温度測定値とに加えて、調整信号生成回路１５４が出力した調整信号値を入力する。補正値算出部１６４は、入力した周期測定値と温度測定値と調整信号値とに基づいて、補正値記憶部１６３が記憶した補正値テーブルを検索して、入力した周期測定値から算出した周波数測定値と温度測定値が表わす温度と調整信号値との組に対応する補正値を算出する。
【００３９】
フォトカプラＰＣやその他の素子の個体ごとのバラツキにより、信号伝達回路１５２の伝達特性が異なる場合がある。そこで、補正値記憶部１６３は、あらかじめ、複数種類の伝達特性についての補正値を、異なる調整信号値にそれぞれ対応づけて記憶しておく。
【００４０】
放電灯点灯装置１００の製造工程において、信号伝達回路１５２の伝達特性を測定し、測定した伝達特性に最もよく適合する補正値を補正値算出部１６４が選択するよう、可変抵抗ＶＲ８２の抵抗値を調整する。これにより、フォトカプラＰＣやその他の素子のバラツキにかかわらず、デューティ比測定回路１５０は、調光装置２００が出力した調光信号のデューティ比を正しく測定することができる。
【００４１】
なお、調整信号生成回路１５４を設ける代わりに、実施の形態１あるいは実施の形態２で説明した構成のデューティ比測定回路１５０において、信号伝達回路１５２の伝達特性を測定し、測定した伝達特性から補正値を算出して、補正値記憶部１６３に記憶させることとしてもよい。そうすれば、信号伝達回路１５２の伝達特性にぴったり適合する補正値を、補正値算出部１６４が算出することができるので、デューティ比測定回路１５０は、調光信号のデューティ比を更に正確に測定することができる。
【００４２】
これに対し、この実施の形態で説明した構成の場合、デューティ比測定回路１５０が測定するデューティ比の正確さでは劣るが、補正値記憶部１６３が調整信号値に対応して記憶する補正値の種類が十分な数であれば、実用上問題のない精度を得ることができる。それに加えて、放電灯点灯装置１００の製造工程において、補正値記憶部１６３に補正値を記憶させる必要がなく、可変抵抗ＶＲ８２の抵抗値を調整するだけでよいので、放電灯点灯装置１００の製造工程における工数を減らすことができ、放電灯点灯装置１００の製造コストを低くすることができる。
【符号の説明】
【００４３】
１００  放電灯点灯装置、１１０  ノイズフィルタ回路、１２０  昇圧チョッパ回路、１２７  チョッパ制御回路、１３０  インバータ回路、１３７  インバータ制御回路、１４０  負荷回路、１５０  デューティ比測定回路、１５１  直流定電圧源回路、１５２  信号伝達回路、１５３  温度測定回路、１５４  調整信号生成回路、１６０  マイコン、１６１  オン時間測定部、１６２  周期測定部、１６３  補正値記憶部、１６４  補正値算出部、１６５  デューティ比算出部、２００  調光装置、３１１〜３１４  曲線、４１０  補正値テーブル、４１１  周期測定値、４１２  温度測定値、４１４  補正値、８００  照明器具、８１０  ソケット、ＡＣ  交流電源、Ｃ１１  アクロスザラインコンデンサ、Ｃ２４  平滑コンデンサ、Ｃ４２  結合コンデンサ、Ｃ４３  始動コンデンサ、Ｃ５５  コンデンサ、Ｄ２３  整流素子、ＤＢ１，ＤＢ２  ダイオードブリッジ、Ｌ１２  コモンモードチョーク、Ｌ２１，Ｌ４１  チョークコイル、ＬＡ  放電灯、ＰＣ  フォトカプラ、ＰＴ  フォトトランジスタ、Ｑ２２，Ｑ３１，Ｑ３２  スイッチング素子、Ｑ５４  バイポーラトランジスタ、Ｒ２５，Ｒ２６，Ｒ７１，Ｒ８１  分圧抵抗、Ｒ５１，Ｒ５２，Ｒ５３  抵抗、ＴＲ７２  サーミスタ、ＶＲ８２  可変抵抗。
【図１】
2010226658.tif 000004
【図２】
2010226658.tif 000005
【図３】
2010226658.tif 000006
【図４】
2010226658.tif 000007
【図５】
2010226658.tif 000008
【図６】
2010226658.tif 000009
【図７】
2010226658.tif 000010
【図８】
2010226658.tif 000011